(57)【特許請求の範囲】
【請求項１】
金属製薄板で構成し被加熱物を収納する加熱室と、前記加熱室の前面開口部に開閉自在に設けられた扉と、前記被加熱物を加熱する加熱手段とを備え、
前記加熱室は、底板と、左右壁と後壁の側板と、天板とから形成され、
前記加熱室の前記底板の後端部には下方に約９０°折曲された後側端面折曲部が設けられ、
前記後側端面折曲部に複数のスリットを形成し、
前記底板と前記側板とを面接触させた加熱調理器。
【請求項２】
金属製薄板で構成し被加熱物を収納する加熱室と、前記加熱室の前面開口部に開閉自在に設けられた扉と、前記被加熱物を加熱する加熱手段とを備え、
前記加熱室は、底板と、左右壁と後壁の側板と、天板とから形成され、
前記加熱室の底板の後端部には下方に約９０°折曲された後側端面折曲部が設けられ、
前記後側端面折曲部に上方から下方に向かって開口幅が小さくなる略三角形状の複数の孔を形成し、
前記底板と前記側板とを面接触させた加熱調理器。
【請求項３】
前記加熱室の底板は、スリットあるいは上方から下方に向かって開口幅が小さくなる略三角形状の複数の孔の下方に導水孔を設け、前記側板を離れた滴下水は、前記導水孔を通して排水経路に導かれることを特徴とする請求項１または２に記載の加熱調理器。
【発明の詳細な説明】
【技術分野】
【０００１】
本発明は、例えば電子レンジなどの加熱調理器であって、結露水の排水経路を簡素化したものである。
【背景技術】
【０００２】
従来、この種の加熱調理器は、多量の水分を含んだ被加熱物の加熱調理を行った場合や、近年の加熱調理器には蒸気発生手段を有する商品も多く、蒸気を付加する加熱調理を行った場合は、蒸気を含む空気が加熱室内で結露し、加熱室の左右側面や後面を構成している側壁と底板の合わせ目から、加熱室の外に結露水が滴下する。この結露水を受けて溜めるための水受け部を備え、加熱調理器本体外に、結露水が零れ出すことを防止したものが一般的であった（例えば、特許文献１参照）。
【０００３】
また、加熱室側壁と底板の合わせ目から、加熱室の外に滴下する結露水を、受けて溜めるための水受け部を備え、水受け部に、結露水を吸収する吸収体を配設したものもあった（例えば、特許文献２参照）。
【０００４】
図４及び図５は、特許文献１に記載された従来の加熱調理器を示すものである。図４及び図５に示すように、加熱室１の側板２と、加熱室１の底板３と、側板２と底板３との合わせ目４から漏れ出る結露水を受ける水受け部５とから構成されている。
【０００５】
図６は、特許文献２に記載された従来の加熱調理器を示すものである。図６に示すように、加熱室１１の側板１２と、加熱室１１の底板１３と、側板１２と底板１３の合わせ目１４から漏れ出る結露水を受ける水受け部１５と、結露水を吸収する吸収体１６から構成されている。
【先行技術文献】
【特許文献】
【０００６】
【特許文献１】特開２００７−２０５６８８号公報
【特許文献２】特開２００７−１０１０９９号公報
【発明の概要】
【発明が解決しようとする課題】
【０００７】
しかしながら、特許文献１に記載の構成では、蒸気発生装置７で加熱室１に供給する蒸気の量を増加した場合や、或いは水分量が多い被加熱物を長時間加熱した場合、加熱室１内の結露水の量が増加し、側板２と底板３の合わせ目４から滴下する結露水も増加する。滴下した結露水は、水受け部５に貯留されるが、水受け部５の貯留できる容量を超える結露水は、加熱調理器の器体外に零れ出るという課題があった。更に、加熱調理器において、水受け部５を配設できる空間は非常に狭く、貯水量の少ない水受け部５しか構成できないことが多く、貯留容量近くまで溜まった結露水は、少しの振動や衝撃で、水受け部５から零れ、最悪の場合、近傍の電気部品に付着し、誤動作や部品破壊に至る場合があった。
【０００８】
また、特許文献２に記載の構成では、蒸気発生装置１７で供給する蒸気の量を増加した場合や、或いは水分量が多い被加熱物を長時間加熱した場合、加熱室１１内の結露水の量が増加し、側板１２と底板１３との合わせ目１４から滴下する結露水も増加する。滴下した結露水は、水受け部１５に配設された吸収体１６によって吸収されるが、特許文献１と同様に、吸収体１６の貯留できる容量を超える結露水は、加熱調理器の器体外に零れ出るという課題があった。更に、吸収体１６を配設できる空間は非常に狭いので、大きな容量の吸収体１６を配設することができないことが多く、吸収できる容量近くまで溜まった結露水は、少しの振動や衝撃で水受け部１５から零れ、最悪の場合、近傍の電気部品に付着し、誤動作や部品破壊に至る場合があった。
【０００９】
本発明は、前記従来の課題を解決するもので、加熱室の側壁と底板の合わせ目から漏れる水を所定の位置から滴下させる構造にすることによって、結露水の排水経路を簡素化でき、器体外に水が零れず、電気部品への水の付着がない安全性の高い加熱調理器を提供することを目的とする。
【課題を解決するための手段】
【００１０】
前記従来の課題を解決するために、本発明の加熱調理器は、金属製薄板で構成し被加熱物を収納する加熱室と、前記加熱室の前面開口部に開閉自在に設けられた扉と、前記被加熱物を加熱する加熱手段とを備え、前記加熱室は、底板と、左右壁と後壁の側板と、天板
とから形成され、前記加熱室の前記底板の後端部には下方に約９０°折曲された後側端面折曲部が設けられ、前記後側端面折曲部に複数のスリットを形成し、前記底板と前記側板とを面接触させたものである。
【００１１】
これによって、加熱室の側壁と天板に付着した結露水は、側壁に沿って側壁と底板の合わせ目に到達し、底板の端面折曲部に設けた複数のスリットから滴下する。前記スリットを排水溝や水受け皿の上方に配置することにより結露水の排水経路を簡素化でき、器体外に水が零れず、電気部品への水の付着がない安全性の高い加熱調理器ができる。
【発明の効果】
【００１２】
本発明の加熱調理器は、結露水の排水経路を簡素化し、器体外に水が漏れず、電気部品への水の付着がなく、安全性を高めることができる。
【図面の簡単な説明】
【００１３】
【図１】本発明の実施の形態１における加熱調理器の要部投影図
【図２】本発明の実施の形態１における加熱調理器の要部斜視断面図
【図３】本発明の実施の形態２における加熱調理器の要部斜視断面図
【図４】従来の加熱調理器の加熱室視点の拡大斜視図
【図５】従来の加熱調理器の水受け構造斜視図
【図６】従来の吸収体を有した加熱調理器の水受け部近傍の断面図
【発明を実施するための形態】
【００１４】
第１の発明は、金属製薄板で構成し被加熱物を収納する加熱室と、前記加熱室の前面開口部に開閉自在に設けられた扉と、前記被加熱物を加熱する加熱手段とを備え、前記加熱室は、底板と、左右壁と後壁の側板と、天板とから形成され、前記加熱室の前記底板の後端部には下方に約９０°折曲された後側端面折曲部が設けられ、前記後側端面折曲部に複数のスリットを形成し、前記底板と前記側板とを面接触させることにより、加熱室内で結露した結露水は側板と底板の合わせ目に到達し、底板の端面折曲部に設けた複数のスリットから滴下する。前記スリットを排水溝や水受け皿の上方に配置することにより、結露水の排水経路を簡素化でき、器体外に水が零れず、電気部品への水の付着がない安全性の高い加熱調理器ができる。
【００１５】
第２の発明は、金属製薄板で構成し被加熱物を収納する加熱室と、前記加熱室の前面開口部に開閉自在に設けられた扉と、前記被加熱物を加熱する加熱手段とを備え、前記加熱室は、底板と、左右壁と後壁の側板と、天板とから形成され、前記加熱室の底板の後端部には下方に約９０°折曲された後側端面折曲部が設けられ、前記後側端面折曲部に上方から下方に向かって開口幅が小さくなる略三角形状の複数の孔を形成し、前記底板と前記側板とを面接触させすることにより、加熱室内で結露した結露水は側板と底板の合わせ目に到達し、底板の端面折曲部に設けた上方から下方に向かって開口幅が小さくなる略三角形状の複数の孔に達する。結露水はさらに略三角形状の下方頂点から滴下するため、排水溝や水受け皿の上方に略三角形状の下方頂点を配置する、或いは略三角形状の下方頂点の位置に応じてその下方に排水溝や水受け皿を配置することにより、結露水の排水経路を簡素化でき、器体外に水が零れず、電気部品への水の付着がない安全性の高い加熱調理器ができる。
【００１６】
第３の発明は、特に、第１または第２の発明において、前記加熱室の底板は、スリットあるいは上方から下方に向かって開口幅が小さくなる略三角形状の複数の孔の下方に導水孔を設け、前記側板を離れた滴下水は、前記導水孔を通して排水経路に導かれることにより、別部品の排水溝や水受け皿を用いずとも排水経路を構成することができ、加熱調理器の排水経路の簡素化と共に部品点数を削減でき、生産工数と製品価格の削減ができる。
【００１７】
以下、本発明の実施の形態について、図面を参照しながら説明する。なお、この実施の形態によって本発明が限定されるものではない。
【００１８】
（実施の形態１）
図１は、本発明の第１の実施の形態における加熱調理器の要部投影図、図２は、本発明の第１の実施の形態における加熱調理器の側壁と底板の合わせ目と、加熱室側に付着した結露水の流路を示す要部断面図である。
【００１９】
図１および図２において、加熱室２１は、加熱調理器の本体内に設けられている。この加熱室２１の前面開口部には、開閉自在の扉（図示せず）が設けられている。加熱室２１内空間は略直方体であり、金属製薄板の底板２３と、左右壁と後壁の側板２２と、天板２５と、扉とから形成されている。底板２３の後端部は、下方に約９０°折曲され、側板２２と面接触している。底板２３と側板２２、天板２５と側板２２は、それぞれ溶接やカシメによって締結されている。底板２３の後端折曲部２６には、スリット２７が形成され、スリット２７の下方には、底板２３の導水孔をルーバー形状の受水部２９を有して配置している。
【００２０】
以上のように構成された加熱調理器について、以下その動作、作用を説明する。
【００２１】
まず、多量の水分を含んだ被加熱物の加熱調理を行った場合や、蒸気発生手段を用いて蒸気を付加する加熱調理を行った場合には、蒸気を多量に含んだ空気は、加熱室２１内に充満すると同時に、加熱室２１壁面付近では低温に晒され、加熱室２１壁面に結露する。加熱室２１壁面に結露した水は、図２のように、加熱室２１の左右側面や後面を構成している側板２２と底板２３の合わせ目２４に到達する。
【００２２】
合わせ目２４に到達した結露水は、底板２３に形成したスリット２７を経由して加熱室２１の外側に排出され、スリット２７の下方に配置したルーバー形状の受水部２９の導水孔を通して排水経路に導かれる。
【００２３】
以上のように、本実施の形態においては、底板２３の後端折曲部２６にスリット２７を形成することにより、側板２２と底板２３の合わせ目２４から漏れる結露水を所定の位置から滴下させることができ、スリット２７を排水溝や水受け皿の上方に配置することにより、結露水の排水経路を簡素化でき、器体外に水が零れず、電気部品への水の付着がない安全性の高い加熱調理器にすることができる。
【００２４】
また、本実施の形態では、スリット２７から滴下する水を、底板２３の導水孔に設けたルーバー形状の受水部２９で受ける構造にしたことにより、別部品の排水溝や水受け皿を用いずとも排水経路を構成することができ、加熱調理器の排水経路の簡素化と共に部品点数を削減でき、生産工数と製品価格の削減もできる。
【００２５】
（実施の形態２）
図３は、本発明の第２の実施の形態における加熱調理器の要部斜視断面図を示すものである。
【００２６】
図３において、加熱室３１は開閉自在の扉（図示せず）と、金属製薄板の底板３３と左右壁と後壁の側板３２と天板（図示せず）からなり、底板３３と側板３２、天板と側板３２は、溶接やカシメによって締結されている。底板３３の後端折曲部３６には、上方から下方に向かって開口幅が小さくなる略三角形状の複数の孔３７が形成されている。上方から下方に向かって開口幅が小さくなる略三角形状の孔３７の下方頂点３５の更に下方には、底板３３の導水孔をルーバー形状の受水部３９を有して配置している。
【００２７】
以上のように構成された加熱調理器について、以下その動作、作用を説明する。
【００２８】
なお、実施の形態１に記載したものと同一名称の構成は、同一の働き、効果を有するものとする。
【００２９】
側板３２と底板３３の合わせ目３４に到達した結露水は、底板３３の後端折曲部３６に形成した上方から下方に向かって開口幅が小さくなる略三角形状の孔３７を経由して加熱室３１の外側に排出され、略三角形状の下方頂点３５から滴下する。略三角形状の下方頂点３５を排水溝や水受け皿の上方に配置することにより、結露水の排水経路を簡素化でき、器体外に水が零れず、電気部品への水の付着がない安全性の高い加熱調理器にすることができる。
【産業上の利用可能性】
【００３０】
以上のように、本発明にかかる加熱調理器は、結露水の排水経路を簡素化し、器体外に水が漏れず、電気部品への水の付着がなく、安全性を高めることが可能となるので、加熱調理器だけでなく、加湿器などの蒸気発生機器などの排水経路にも適用できる。
【符号の説明】
【００３１】
２１、３１  加熱室
２２、３２  側板
２３、３３  底板
２４、３４  合わせ目
２５  天板
２６、３６  後端折曲部
２７  スリット
３５  下方頂点
３７  孔
２９、３９  受水部
【図１】
0005540812.tif 000002
【図２】
0005540812.tif 000003
【図３】
0005540812.tif 000004
【図４】
0005540812.tif 000005
【図５】
0005540812.tif 000006
【図６】
0005540812.tif 000007